(57)【要約】【課題】携帯電話を用いた通信においても、ＩＰ電話のような低課金のサービスを提供することが可能な通信制御装置を得る。【解決手段】通信制御装置２は、携帯電話７との間で電波の送受信を行うアンテナ２Ａと、有線通信回線を介して移動体通信ネットワークに接続されるコネクタ２１と、アンテナ２Ａとコネクタ２１との間における、移動体通信に関連する信号処理を実行する処理装置３０とを備える。処理装置３０は、携帯電話７の呼制御に関する信号をＳＩＰによって処理するＳＩＰ処理部５０と、携帯電話７からアンテナ２Ａを介して処理装置３０に入力された制御信号を、呼制御系信号と無線制御系信号とに振り分ける、振り分け処理部４６とを有する。呼制御系信号は、ＳＩＰ処理部５０を経由してコネクタ２１に向けて出力され、無線制御系信号は、ＳＩＰ処理部５０を経由せずにコネクタ２１に向けて出力される。【選択図】図３
2010114746.tif 000002
【特許請求の範囲】
【請求項１】
移動通信端末との間で電波の送受信を行うアンテナと、
有線通信回線を介して移動体通信ネットワークに接続される第１の接続部と、
前記アンテナと前記第１の接続部との間における、移動体通信に関連する第１の信号処理を実行する処理部と
を備え、
前記処理部は、
前記移動通信端末の呼制御に関する信号をＳＩＰによって処理するＳＩＰ処理部と、
前記移動通信端末から前記アンテナを介して前記処理部に入力された制御信号を、呼制御系信号と無線制御系信号とに振り分ける、振り分け処理部と
を有し、
前記呼制御系信号は、前記ＳＩＰ処理部を経由して、前記処理部から前記第１の接続部に向けて出力され、
前記無線制御系信号は、前記ＳＩＰ処理部を経由せずに、前記処理部から前記第１の接続部に向けて出力される、通信制御装置。
【請求項２】
ホームネットワークに接続される第２の接続部をさらに備え、
前記処理部は、前記第２の接続部を介した前記ホームネットワークに関連する第２の信号処理をさらに実行する、請求項１に記載の通信制御装置。
【請求項３】
請求項１又は２に記載の通信制御装置と、
前記有線通信回線を介して前記通信制御装置に接続されたＩＰネットワークと、
前記ＩＰネットワークに接続され、前記移動通信端末に関する呼処理を行うＳＩＰサーバと
を備える、通信システム。
【発明の詳細な説明】
【技術分野】
【０００１】
本発明は、通信制御装置及び通信システムに関する。
【背景技術】
【０００２】
携帯電話による通信は電波を利用するため、通信サービスのエリア内であっても、屋内や地下等の電波の届かない電波不感エリアでは、携帯電話による通信が不可能となる。そこで、電波不感エリアにおいても携帯電話による通信を可能とすべく、小型基地局を用いた通信システムの構築が検討されている。
【０００３】
この通信システムにおいては、半径数十メートル程度の極小セル（フェムトセル）を通信圏内とする小型基地局（以下「フェムトセル基地局」と称す）が、電波不感エリア内に設置される。また、フェムトセル基地局は、有線通信回線を用いたＩＰネットワークを介して、携帯電話事業者の移動体通信ネットワークに接続される。従って、電波不感エリア内の携帯電話は、フェムトセル基地局及びＩＰネットワークを介して、移動体通信ネットワークに接続される。その結果、電波不感エリア内においても携帯電話による通信が可能となる。
【０００４】
なお、下記特許文献１には、光通信の加入者宅内に設置された無線基地局を備える通信システムが開示されている。この通信システムにおいて、加入者宅内で使用される携帯電話からの信号は、宅内の無線基地局から光通信ケーブルを介して収容局に送信され、収容局からＩＰ網、一般電話交換網、又は移動通信交換網等の各種ネットワークに送信される。
【０００５】
また、近年におけるネットワーク技術の発展に伴い、家庭内やオフィス内においても、パーソナルコンピュータ（以下「パソコン」と略称する）やＩＰ電話等の複数のネットワーク機器を相互に接続するホームネットワークが普及しつつある。ホームネットワークには、ホームネットワークと外部のＩＰネットワークとを接続するためのインタフェースとして、ホームゲートウェイ装置（以下、「ホームゲートウェイ」と略称する）が接続される。ホームゲートウェイは、ホームネットワークとＩＰネットワークとの間の信号の送受信、プロトコル変換、及びルーティングを行うとともに、ホームネットワークに接続されているネットワーク機器の管理や制御を行う。
【０００６】
【特許文献１】特開２００４−１５１０３号公報
【発明の開示】
【発明が解決しようとする課題】
【０００７】
図９は、ホームゲートウェイ（ＨＧＷ）１０１とフェムトセル基地局１０２とが同一の建物１００内に設置された例を示す図である。ホームネットワークシステムは、ＬＡＮ又はＰＬＣ等を用いたホームネットワーク１０３と、ホームネットワーク１０３に接続されたホームゲートウェイ１０１と、ホームネットワーク１０３に接続された複数のネットワーク機器とを備えている。図９に示した例では、ネットワーク機器として、パソコン１０４及びＩＰ電話１０５が、ホームネットワーク１０３に接続されている。ホームゲートウェイ１０１は、コンセント等の外部電源１１０に接続されている。また、ホームゲートウェイ１０１は、建物１００の外部のＩＰネットワーク１０８に接続されている。
【０００８】
フェムトセル基地局１０２は、ＬＡＮケーブルを介してホームゲートウェイ１０１に接続されている。また、フェムトセル基地局１０２はアンテナ１０６を有しており、フェムトセル基地局１０２のアンテナ１０６と、携帯電話１０７のアンテナ１０７Ａとの間で、電波の送受信が行われる。また、フェムトセル基地局１０２は、コンセント等の外部電源１１１に接続されている。フェムトセル基地局１０２は、ＩＰネットワーク１０８及びゲートウェイ（ＧＷ）１２３を介して、携帯電話事業者の移動体通信ネットワーク１０９に接続されている。移動体通信ネットワーク１０９は、無線制御装置１２０、移動交換局１２１、ＨＬＲ１２２Ａ、及びＶＬＲ１２２Ｂを有して構成されている。
【０００９】
図９に示した例によると、携帯電話１０７と相手先の通信端末（例えば携帯電話）との間の音声信号は、携帯電話事業者の移動体通信ネットワーク１０９を経由して送受信されることとなる。従って、ＩＰ電話を用いた通信と比較すると通信料金が高額となるのが現状である。
【００１０】
本発明はかかる事情に鑑みて成されたものであり、携帯電話等の移動通信端末を用いながらも、ＩＰ電話のような低課金のサービスを受けることを可能とすることにより、ユーザの利便性を向上し得る、通信制御装置及び通信システムを得ることを目的とするものである。
【課題を解決するための手段】
【００１１】
本発明の第１の態様に係る通信制御装置は、移動通信端末との間で電波の送受信を行うアンテナと、有線通信回線を介して移動体通信ネットワークに接続される第１の接続部と、前記アンテナと前記第１の接続部との間における、移動体通信に関連する第１の信号処理を実行する処理部とを備え、前記処理部は、前記移動通信端末の呼制御に関する信号をＳＩＰによって処理するＳＩＰ処理部と、前記移動通信端末から前記アンテナを介して前記処理部に入力された制御信号を、呼制御系信号と無線制御系信号とに振り分ける、振り分け処理部とを有し、前記呼制御系信号は、前記ＳＩＰ処理部を経由して、前記処理部から前記第１の接続部に向けて出力され、前記無線制御系信号は、前記ＳＩＰ処理部を経由せずに、前記処理部から前記第１の接続部に向けて出力されることを特徴とするものである。
【００１２】
第１の態様に係る通信制御装置によれば、処理部は、移動通信端末の呼制御に関する信号をＳＩＰによって処理するＳＩＰ処理部を有する。そのため、相手先の通信端末がＩＰネットワークに接続されている場合には、移動通信端末と相手先の通信端末との間の音声信号は、移動体通信ネットワークではなくＩＰネットワークを介して送受信される。従って、携帯電話等の移動通信端末を用いながらも、ＩＰ電話のような低課金のサービスが期待できる。しかも、処理部は、移動通信端末からアンテナを介して入力された制御信号を呼制御系信号と無線制御系信号とに振り分ける振り分け処理部を有している。従って、ＳＩＰ処理部による処理が必要な呼制御系信号と、ＳＩＰ処理部による処理が不要な無線制御系信号とを、振り分け処理部によって適切に振り分けて処理することが可能となる。
【００１３】
本発明の第２の態様に係る通信制御装置は、第１の態様に係る通信制御装置において特に、ホームネットワークに接続される第２の接続部をさらに備え、前記処理部は、前記第２の接続部を介した前記ホームネットワークに関連する第２の信号処理をさらに実行することを特徴とするものである。
【００１４】
第２の態様に係る通信制御装置によれば、処理部は、ホームネットワークに関連する信号処理と、移動体通信に関連する信号処理との双方を実行する。従って、ホームネットワークの終端装置としての機能と、フェムトセル基地局としての機能とを単一の処理部に統合することにより、終端装置及びフェムトセル基地局を一体化して構成することができるため、ユーザの利便性を向上することができる。
【００１５】
本発明の第３の態様に係る通信システムは、第１又は第２の態様に係る通信制御装置と、前記有線通信回線を介して前記通信制御装置に接続されたＩＰネットワークと、前記ＩＰネットワークに接続され、前記移動通信端末に関する呼処理を行うＳＩＰサーバとを備えることを特徴とするものである。
【００１６】
第３の態様に係る通信システムによれば、処理部は、移動通信端末の呼制御に関する信号をＳＩＰによって処理するＳＩＰ処理部を有する。そのため、相手先の通信端末がＩＰネットワークに接続されている場合には、移動通信端末と相手先の通信端末との間の音声信号は、移動体通信ネットワークではなくＩＰネットワークを介して送受信される。従って、携帯電話等の移動通信端末を用いながらも、ＩＰ電話のような低課金のサービスが期待できる。しかも、処理部は、移動通信端末からアンテナを介して入力された制御信号を呼制御系信号と無線制御系信号とに振り分ける振り分け処理部を有している。従って、ＳＩＰ処理部による処理が必要な呼制御系信号と、ＳＩＰ処理部による処理が不要な無線制御系信号とを、振り分け処理部によって適切に振り分けて処理することが可能となる。
【発明の効果】
【００１７】
本発明によれば、携帯電話等の移動通信端末を用いながらも、ＩＰ電話のような低課金のサービスを受けることを可能とすることにより、ユーザの利便性を向上することができる。
【発明を実施するための最良の形態】
【００１８】
以下、本発明の実施の形態について、図面を用いて詳細に説明する。なお、異なる図面において同一の符号を付した要素は、同一又は相応する要素を示すものとする。
【００１９】
図１は、本発明の実施の形態に係る通信制御装置２を備える通信システムの全体構成を概略的に示す図である。通信制御装置２は、建物１内に設置されている。建物１は、例えばオフィス又はユーザの自宅等であり、屋外基地局からの電波が届きにくい（又は届かない）電波不感エリアである。
【００２０】
建物１内には、ホームネットワークシステムが導入されている。ホームネットワークシステムは、ＬＡＮ（Local Area Network）又はＰＬＣ（Power Line Communication）等を用いたホームネットワーク３と、ネットワークケーブル６を介してホームネットワーク３に接続された通信制御装置２と、ホームネットワーク３に接続された複数のネットワーク機器とを備えている。図１に示した例では、ネットワーク機器として、パソコン４及びＩＰ電話５が、ホームネットワーク３に接続されている。
【００２１】
通信制御装置２は、ホームゲートウェイとフェムトセル基地局とが一体化された装置である。通信制御装置２は、コンセント等の外部電源８に接続されている。また、通信制御装置２は、光ファイバやメタルケーブル等の有線通信回線１０を介して、建物１の外部のＩＰネットワーク９に接続されている。通信制御装置２はアンテナ２Ａを有しており、通信制御装置２のアンテナ２Ａと、携帯電話７のアンテナ７Ａとの間で、電波の送受信が行われる。
【００２２】
ＩＰネットワーク９は、ゲートウェイ（ＧＷ）１２を介して、携帯電話事業者の移動体通信ネットワーク１１に接続されている。移動体通信ネットワーク１１は、無線制御装置１３、ＨＬＲ（Home Location Register）１４、移動交換局１８、及びＶＬＲ（Visitor Location Register）１５を有して構成されている。
【００２３】
また、ＩＰネットワーク９には、ＳＩＰサーバ１６と、ＩＰ電話１７とが接続されている。ＳＩＰサーバ１６は、ＩＰネットワーク９を介した通信において、通信端末間の呼処理を行う。
【００２４】
携帯電話７は、ユーザが有する移動通信端末である。携帯電話７を保持するユーザが建物１内（つまりフェムトセル基地局の通信圏内）に位置する場合には、携帯電話７のアンテナ７Ａと通信制御装置２のアンテナ２Ａとの間で、無線による信号の送受信が行われる。建物１内の携帯電話７は、通信制御装置２、有線通信回線１０、ＩＰネットワーク９、及びゲートウェイ１２を介して、移動体通信ネットワーク１１に接続される。その結果、電波不感エリアである建物１内においても、ユーザは、携帯電話７による通信が可能となる。
【００２５】
図２は、通信制御装置２の外観構成の例を示す斜視図である。通信制御装置２の筐体の側面には、外部電源８に接続される電源プラグ２０が接続されている。また、通信制御装置２の筐体の側面には、ＩＰネットワーク９に接続するための有線通信回線１０が接続されるコネクタ２１と、ホームネットワーク３に接続するためのネットワークケーブル６が接続されるコネクタ２２とが設けられている。また、通信制御装置２の筐体の側面には、アンテナ２Ａが取り付けられている。
【００２６】
図３は、通信制御装置２の内部構成の例を示すブロック図である。図３に示すように、通信制御装置２は、ＣＰＵ等の処理装置３０と、処理装置３０に接続されたブリッジ３１と、ブリッジ３１に接続されたドライバ３２，３５と、ドライバ３２に接続されたＷＡＮ（Wide Area Network）インタフェース３３及びＬＡＮインタフェース３４と、ドライバ３５に接続されたＰＨＹ処理部３６とを備えて構成されている。ＰＨＹ処理部３６は、携帯電話の無線プロトコルにおける物理レイヤ（Physical Layer）を処理する。ＷＡＮインタフェース３３はコネクタ２１に接続されており、ＬＡＮインタフェース３４はコネクタ２２に接続されている。
【００２７】
処理装置３０は、ホームネットワークに関連する信号処理と、携帯電話による移動体通信に関連する信号処理との双方を実行可能である。具体的に、処理装置３０は、ＭＡＣ処理部４０、ＲＬＣ処理部４１、ＲＲＣ処理部４２、ＰＤＣＰ処理部４３、ＴＣＰ／ＵＤＰ／ＲＴＰ処理部４４、ＩＰ処理部４５、振り分け処理部４６、プロトコル変換部４７、ＩＰアドレス変換部４８、Ｂ２ＢＵＡ処理部４９、及びＳＩＰ処理部５０を有している。近年、ＣＰＵの処理能力が向上していることから、ホームゲートウェイの高速・大容量の通信処理機能と、フェムトセル基地局の無線通信機能とを、単一の処理装置３０に集約することは十分に可能である。
【００２８】
ＭＡＣ処理部４０、ＲＬＣ処理部４１、ＲＲＣ処理部４２、及びＰＤＣＰ処理部４３は、携帯電話の無線プロトコルにおける、ＭＡＣ（Medium Access Control）サブレイヤ、ＲＬＣ（Radio Link Control）サブレイヤ、ＲＲＣ（Radio Resource Control）レイヤ、及びＰＤＣＰ（Packet Data Convergence Protocol）サブレイヤをそれぞれ処理する。
【００２９】
ＴＣＰ／ＵＤＰ／ＲＴＰ処理部４４及びＩＰ処理部４５は、ホームゲートウェイとしての通信制御装置２が、ホームネットワーク３に接続されているパソコン４又はＩＰ電話５等のネットワーク機器や、外部のＩＰネットワーク９との間で通信を行うために必要な機能である。ＴＣＰ／ＵＤＰ／ＲＴＰ処理部４４は、ＴＣＰ（Transmission Control Protocol）、ＵＤＰ（User Datagram Protocol）、又はＲＴＰ（Real-time Transport Protocol）を処理する。ＩＰ処理部４５は、ＩＰ（Internet Protocol）を処理する。
【００３０】
振り分け処理部４６は、ＲＲＣ処理部４２から入力された制御メッセージ（制御信号）を、無線制御系信号Ｓ１と呼制御系信号Ｓ２とに振り分け、無線制御系信号Ｓ１をＩＰアドレス変換部４８に向けて出力するとともに、呼制御系信号Ｓ２をプロトコル変換部４７に向けて出力する。また、振り分け処理部４６は、ＩＰアドレス変換部４８から入力された無線制御系信号Ｓ４、及びプロトコル変換部４７から入力された呼制御系信号Ｓ５を、ＲＲＣ処理部４２に向けて出力する。呼制御系信号Ｓ２，Ｓ５には、呼処理のための制御メッセージと、携帯電話の位置登録及び認証のための制御メッセージとが含まれる。
【００３１】
プロトコル変換部４７は、呼制御系信号Ｓ２，Ｓ５に関して、携帯電話７のプロトコルとＩＰネットワーク９のプロトコルとを相互に変換する。つまり、プロトコル変換部４７は、振り分け処理部４６から入力された呼制御系信号Ｓ２を、ＩＰネットワーク９に対応するプロトコル（ＳＩＰ）に変換し、Ｂ２ＢＵＡ処理部４９からＩＰアドレス変換部４８を介して入力された呼制御系信号Ｓ５を、携帯電話７に対応するプロトコルに変換する。
【００３２】
Ｂ２ＢＵＡ（Back-to-Back User Agent）処理部４９は、プロトコル変換部４７からＩＰアドレス変換部４８を介して入力された呼制御系信号Ｓ２と、ＳＩＰ処理部５０から入力された呼制御系信号Ｓ５との間でメッセージの整合をとるために、新たなリクエストの生成等の処理を行う。
【００３３】
ＳＩＰ処理部５０は、Ｂ２ＢＵＡ処理部４９から入力された呼制御系信号Ｓ２、及びＴＣＰ／ＵＤＰ／ＲＴＰ処理部４４から入力された呼制御系信号Ｓ５を、ＳＩＰ（Session Initiation Protocol）によって処理する。
【００３４】
ＩＰアドレス変換部４８は、無線制御系信号Ｓ１，Ｓ４、呼制御系信号Ｓ２，Ｓ５、及び音声信号Ｓ３，Ｓ６にそれぞれ含まれているＩＰアドレスを、所望のものに変換する。また、ＩＰアドレス変換部４８は、ＰＤＣＰ処理部４３によって処理される又は処理されたパケットデータに含まれているＩＰアドレスを、所望のものに変換する。
【００３５】
処理装置３０においては、ＲＬＣ処理部４１、振り分け処理部４６、及びＰＤＣＰ処理部４３と、ＴＣＰ／ＵＤＰ／ＲＴＰ処理部４４とが、ＩＰアドレス変換部４８を介して双方向に接続されるとともに、ＳＩＰ処理部５０とＴＣＰ／ＵＤＰ／ＲＴＰ処理部４４とが双方向に接続されることにより、携帯電話による移動体通信に関連する機能と、ホームネットワークに関連する機能とが互いに連携されている。
【００３６】
図４は、無線制御に関して、携帯電話７、通信制御装置２、及び無線制御装置１３の各プロトコルスタックを示す図である。携帯電話７は、下位レイヤから順に、ＰＨＹ、ＭＡＣ、ＲＬＣ、ＲＲＣ、及びＮＡＳ（Non-Access Stratum）を含む。また、通信制御装置２は、携帯電話７側においては、下位レイヤから順に、ＰＨＹ、ＭＡＣ、ＲＬＣ、ＲＲＣ、及び振り分け（図３の振り分け処理部４６に相当する）を含み、ＩＰネットワーク９側においては、下位レイヤから順に、ＰＨＹ、Ｌａｙｅｒ２、ＩＰ、ＴＣＰ、及びＲＡＮＡＰ（Radio Access Network Application Part）を含む。なお、図３では、ＲＡＮＡＰを処理する処理部の記載を省略している。また、無線制御装置１３は、下位レイヤから順に、ＰＨＹ、Ｌａｙｅｒ２、ＩＰ、ＴＣＰ、ＲＡＮＡＰ、及びＮＡＳを含む。
【００３７】
図５は、呼制御に関して、携帯電話７、通信制御装置２、及びＳＩＰサーバ１６の各プロトコルスタックを示す図である。携帯電話７のプロトコルスタックは、図４と同様である。通信制御装置２は、携帯電話７側においては、下位レイヤから順に、ＰＨＹ、ＭＡＣ、ＲＬＣ、ＲＲＣ、振り分け、変換（図３のプロトコル変換部４７に相当する）、及びＢ２ＢＵＡを含み、ＩＰネットワーク９側においては、下位レイヤから順に、ＰＨＹ、Ｌａｙｅｒ２、ＩＰ、ＵＤＰ、ＳＩＰ、及びＢ２ＢＵＡを含む。また、ＳＩＰサーバ１６は、下位レイヤから順に、ＰＨＹ、Ｌａｙｅｒ２、ＩＰ、ＵＤＰ、及びＳＩＰを含む。
【００３８】
図６〜８は、建物１内の携帯電話７が、ＩＰネットワーク９に接続されているＩＰ電話１７（図１参照）と通話を行う際の処理の流れを示す図である。まず、携帯電話７は、後に呼設定の要求信号を送信するための信号チャネルの設定要求信号（無線制御系信号）Ｓ１を送信する。無線制御系信号Ｓ１は、通信制御装置２のアンテナ２Ａによって受信され、ＰＨＹ処理部３６、ドライバ３５、及びブリッジ３１をこの順に経由して、処理装置３０に入力される。
【００３９】
図６を参照して、処理装置３０に入力された無線制御系信号Ｓ１は、処理装置３０内において、ＭＡＣ処理部４０、ＲＬＣ処理部４１、ＲＲＣ処理部４２、振り分け処理部４６、ＩＰアドレス変換部４８、ＴＣＰ／ＵＤＰ／ＲＴＰ処理部４４（厳密にはＴＣＰ）、及びＩＰ処理部４５をこの順に経由して、処理装置３０から出力される。
【００４０】
処理装置３０から出力された無線制御系信号Ｓ１は、ブリッジ３１、ドライバ３２、ＷＡＮインタフェース３３、及びコネクタ２１をこの順に経由して、通信制御装置２から出力される。通信制御装置２から出力された無線制御系信号Ｓ１は、有線通信回線１０、ＩＰネットワーク９、及びゲートウェイ１２をこの順に経由して、移動体通信ネットワーク１１の無線制御装置１３に入力される。
【００４１】
無線制御系信号Ｓ１を受信した無線制御装置１３は、適当な信号チャネルを設定し、その設定情報を含む無線制御系信号Ｓ４を、無線制御系信号Ｓ１の送信ルートとは逆順序のルートで携帯電話７に向けて送信する。
【００４２】
無線制御系信号Ｓ４を受信した携帯電話７は、相手先のＩＰ電話１７の電話番号を含む呼設定の要求信号（呼制御系信号）Ｓ２を送信する。呼制御系信号Ｓ２は、通信制御装置２のアンテナ２Ａによって受信され、ＰＨＹ処理部３６、ドライバ３５、及びブリッジ３１をこの順に経由して、処理装置３０に入力される。
【００４３】
図７を参照して、処理装置３０に入力された呼制御系信号Ｓ２は、処理装置３０内において、ＭＡＣ処理部４０、ＲＬＣ処理部４１、ＲＲＣ処理部４２、振り分け処理部４６、プロトコル変換部４７、ＩＰアドレス変換部４８、Ｂ２ＢＵＡ処理部４９、ＳＩＰ処理部５０、ＴＣＰ／ＵＤＰ／ＲＴＰ処理部４４（厳密にはＵＤＰ）、及びＩＰ処理部４５をこの順に経由して、処理装置３０から出力される。
【００４４】
処理装置３０から出力された呼制御系信号Ｓ２は、ブリッジ３１、ドライバ３２、ＷＡＮインタフェース３３、及びコネクタ２１をこの順に経由して、通信制御装置２から出力される。通信制御装置２から出力された呼制御系信号Ｓ２は、有線通信回線１０及びＩＰネットワーク９をこの順に経由して、ＳＩＰサーバ１６に入力される。
【００４５】
ＳＩＰサーバ１６は、ロケーションサーバ（図示しない）を参照することによってＩＰ電話１７のＩＰアドレスを割り出し、ＩＰ電話１７に対してセッション確立要求を送信する。このセッション確立要求信号に対してＩＰ電話１７が応答すると、ＳＩＰサーバ１６は、応答の確認信号を含む呼制御系信号Ｓ５を、呼制御系信号Ｓ２の送信ルートとは逆順序のルートで携帯電話７に向けて送信する。これにより、コネクションが設定されて、携帯電話７とＩＰ電話１７との間での通話が可能な状態となる。
【００４６】
通話開始後、携帯電話７から送信された音声信号Ｓ３は、通信制御装置２のアンテナ２Ａによって受信され、ＰＨＹ処理部３６、ドライバ３５、及びブリッジ３１をこの順に経由して、処理装置３０に入力される。
【００４７】
図８を参照して、処理装置３０に入力された音声信号Ｓ３は、処理装置３０内において、ＭＡＣ処理部４０、ＲＬＣ処理部４１、ＩＰアドレス変換部４８、ＴＣＰ／ＵＤＰ／ＲＴＰ処理部４４（厳密にはＲＴＰ）、及びＩＰ処理部４５をこの順に経由して、処理装置３０から出力される。
【００４８】
処理装置３０から出力された音声信号Ｓ３は、ブリッジ３１、ドライバ３２、ＷＡＮインタフェース３３、及びコネクタ２１をこの順に経由して、通信制御装置２から出力される。通信制御装置２から出力された音声信号Ｓ３は、有線通信回線１０及びＩＰネットワーク９をこの順に経由して、ＩＰ電話１７に入力される。また、ＩＰ電話１７から送信された音声信号Ｓ６は、音声信号Ｓ３の送信ルートとは逆順序のルートで携帯電話７に向けて送信される。
【００４９】
通話が終了すると、上述の呼制御系信号Ｓ２，Ｓ５の送受信と同様の方法によって、呼が切断される。また、上述の無線制御系信号Ｓ１，Ｓ４の送受信と同様の方法によって、チャネルの設定が解除される。
【００５０】
なお、以上の説明では、移動体通信ネットワーク１１が有する無線制御装置１３によってチャネルの設定及び解除を行ったが、無線制御装置１３と同様の機能を有するサーバをＩＰネットワーク９上に設け、このサーバによってチャネルの設定及び解除を行っても良い。
【００５１】
また、以上の説明では、フェムトセル基地局の機能をホームゲートウェイに統合させる例について述べたが、ホームネットワークのＯＮＵ（Optical Network Unit）又はルータ等の他の終端装置に統合させることも可能である。
【００５２】
このように本実施の形態に係る通信制御装置２及び通信システムによれば、処理装置３０は、ホームネットワーク３に関連する信号処理と、携帯電話７による移動体通信に関連する信号処理との双方を実行する。従って、ホームネットワーク３の終端装置としての機能と、フェムトセル基地局としての機能とを単一の処理装置３０に統合することにより、終端装置及びフェムトセル基地局を一体化して構成することができるため、ユーザの利便性を向上することができる。
【００５３】
しかも、処理装置３０は、携帯電話７等の移動通信端末の呼制御に関する信号をＳＩＰによって処理するＳＩＰ処理部５０を有する。そのため、相手先の通信端末（実施の形態の例ではＩＰ電話１７）がＩＰネットワーク９に接続されている場合には、移動通信端末と相手先の通信端末との間の音声信号は、移動体通信ネットワーク１１ではなくＩＰネットワーク９を介して送受信される。従って、携帯電話７等の移動通信端末を用いながらも、ＩＰ電話のような低課金のサービスが期待できる。
【００５４】
また、本実施の形態に係る通信制御装置２及び通信システムによれば、処理装置３０は振り分け処理部４６を有して構成されている。従って、ＳＩＰ処理部５０による処理が必要な呼制御系信号Ｓ２，Ｓ５と、ＳＩＰ処理部５０による処理が不要な無線制御系信号Ｓ１，Ｓ４とを、振り分け処理部４６によって適切に振り分けて処理することが可能となる。
【００５５】
なお、今回開示された実施の形態はすべての点で例示であって制限的なものではないと考えられるべきである。本発明の範囲は、上記した意味ではなく、特許請求の範囲によって示され、特許請求の範囲と均等の意味及び範囲内での全ての変更が含まれることが意図される。
【図面の簡単な説明】
【００５６】
【図１】本発明の実施の形態に係る通信制御装置を備える通信システムの全体構成を概略的に示す図である。
【図２】通信制御装置の外観構成の例を示す斜視図である。
【図３】通信制御装置の内部構成の例を示すブロック図である。
【図４】無線制御に関して、携帯電話、通信制御装置、及び無線制御装置の各プロトコルスタックを示す図である。
【図５】呼制御に関して、携帯電話、通信制御装置、及びＳＩＰサーバの各プロトコルスタックを示す図である。
【図６】建物内の携帯電話が、通信相手先のＩＰ電話と通話を行う際の処理の流れを示す図である。
【図７】建物内の携帯電話が、通信相手先のＩＰ電話と通話を行う際の処理の流れを示す図である。
【図８】建物内の携帯電話が、通信相手先のＩＰ電話と通話を行う際の処理の流れを示す図である。
【図９】ホームゲートウェイとフェムトセル基地局とが同一の建物内に設置された例を示す図である。
【符号の説明】
【００５７】
２  通信制御装置
２Ａ  アンテナ
３  ホームネットワーク
７  携帯電話
９  ＩＰネットワーク
１０  有線通信回線
１１  移動体通信ネットワーク
１６  ＳＩＰサーバ
１７  ＩＰ電話
２１，２２  コネクタ
３０  処理装置
４６  振り分け処理部
４７  プロトコル変換部
５０  ＳＩＰ処理部
【図１】
2010114746.tif 000003
【図２】
2010114746.tif 000004
【図３】
2010114746.tif 000005
【図４】
2010114746.tif 000006
【図５】
2010114746.tif 000007
【図６】
2010114746.tif 000008
【図７】
2010114746.tif 000009
【図８】
2010114746.tif 000010
【図９】
2010114746.tif 000011